(57)【要約】【課題】従来のアナログテレビ放送だけでなく、ディジタルテレビ放送を受信できるヘッドマウントディスプレイを提供する。【解決手段】中間周波回路３４の出力側にディジタル処理回路３６と、ＡＤ変換回路３５を設けた。ディジタルのテレビ放送信号であれば、ディジタル処理回路３６により、コンポジット信号に変換され。アナログのテレビ放送信号であれば、ＡＤ変換回路３５により、アナログのテレビ放送信号はディジタル信号に変換され、その後ディジタル処理回路３９により、コンポジット信号に変換される。このことにより、アナログのテレビ放送だけでなくディジタルのテレビ放送も受信することが可能となる。【選択図】図３
2006050166.tif 000002
【特許請求の範囲】
【請求項１】
使用者の頭部に着脱自由に取り付け可能に構成されたヘッドマウントディスプレイにおいて、
ディジタルのテレビ放送信号を受信し、選択されているチャンネルで放送されている番組のディジタルのテレビ放送信号を抽出する受信手段と、
前記受信手段が抽出したディジタル信号を、コンポジット信号に変換するディジタル処理手段と、
前記ディジタル処理手段が変換したコンポジット信号を元に映像を表示する映像表示手段と、を備え、
前記受信手段は、受信しているアナログのテレビ放送信号を受信し、選択されているチャンネルで放送されているアナログのテレビ放送信号を抽出する機能を有し、
前記受信手段が抽出したアナログのテレビ放送信号をディジタル信号に変換する変換手段と、
前記ディジタル処理手段は、前記受信手段が抽出したディジタルのテレビ放送信号または前記変換手段により変換されたディジタル信号を処理し、コンポジット信号に変換する機能を有し、
前記ディジタル処理手段は、前記受信手段が抽出しているテレビ放送信号がディジタルのテレビ放送信号であるかアナログのテレビ放送信号であるかを検出する機能を有するとともに、
前記受信手段が抽出している信号がディジタルのテレビ放送信号であれば、前記変換手段に対し動作停止の指示を出し、反対にアナログのテレビ放送信号であれば、動作実行の指示を出し、
前記変換手段は、その指示に従って動作の停止、実行の切換えを行うことを特徴とするヘッドマウントディスプレイ。
【請求項２】
使用者の頭部に着脱自由に取り付け可能に構成されたヘッドマウントディスプレイにおいて、
ディジタルのテレビ放送信号を受信し、選択されているチャンネルで放送されている番組のディジタルのテレビ放送信号を抽出する受信手段と、
前記受信手段が抽出したディジタル信号を、コンポジット信号に変換するディジタル処理手段と、
前記ディジタル処理手段が変換したコンポジット信号を元に映像を表示する映像表示手段と、を備えたことを特徴とするヘッドマウントディスプレイ。
【請求項３】
前記受信手段は、受信しているアナログのテレビ放送信号を受信し、選択されているチャンネルで放送されているアナログのテレビ放送信号を抽出する機能を有するとともに、
前記受信手段が抽出したアナログのテレビ放送信号をディジタル信号に変換する変換手段と、
前記ディジタル処理手段は、前記受信手段が抽出したディジタル信号または前記変換手段により変換されたディジタル信号を処理し、コンポジット信号に変換する機能を有することを特徴とする請求項２に記載のヘッドマウントディスプレイ。
【請求項４】
前記ディジタル処理手段は、前記受信手段が抽出しているテレビ放送信号がディジタルのテレビ放送信号であるかアナログのテレビ放送信号であるかを検出する機能を有するとともに、前記受信手段が抽出している信号がディジタルのテレビ放送信号であれば、前記ディジタル処理手段は、前記変換手段に対し動作停止の指示を出し、反対にアナログのテレビ放送信号であれば、動作実行の指示を出し、
前記変換手段は、前記ディジタル処理手段からの指示に従って動作の停止、実行の切換えを行うことを特徴とする請求項３に記載のヘッドマウントディスプレイ。
【発明の詳細な説明】
【技術分野】
【０００１】
本発明は、使用者の目の前に映像を表示するヘッドマウントディスプレイに関する。
【背景技術】
【０００２】
近年画面サイズが３０インチを超える大型テレビが一般に普及しはじめている。大型テレビは設置に必要な空間が大きいことから、部屋が狭い等の理由で設置場所が確保できない人も多い。そこで、大画面の画像を手軽に楽しむことができるヘッドマウントディスプレイが数々提案され、製品化されている。例えば、ＴＶチューナを設け、屋内屋外を問わずテレビ放送を大画面の画像とステレオ放送で楽しめるものが提案されている（例えば、特許文献１）。
【特許文献１】特開２００１−７８１１８
【発明の開示】
【発明が解決しようとする課題】
【０００３】
しかしながら、近年、テレビ放送においては、これまで主として用いられてきた地上波のアナログテレビ放送に加えて、地上波のディジタルテレビ放送の他、通信衛星（ＣＳ；Communications Satellite）や放送衛星（ＢＳ；Broadcast Satellite ）を介してディジタル信号を伝送するディジタルテレビ放送が急速に普及しつつあり、ディジタルテレビ放送にも対応したＴＶチューナを備えたヘッドマウントディスプレイの開発が望まれている。
【０００４】
この発明は、ディジタルテレビ放送を受信できるヘッドマウントディスプレイを提供することを目的とする。
【課題を解決するための手段】
【０００５】
この発明は、以下の構成を備える。
【０００６】
（１）使用者の頭部に着脱自由に取り付け可能に構成されたヘッドマウントディスプレイにおいて、ディジタルのテレビ放送信号を受信し、選択されているチャンネルで放送されている番組のディジタルのテレビ放送信号を抽出する受信手段と、前記受信手段が抽出したディジタル信号を、コンポジット信号に変換するディジタル処理手段と、前記ディジタル処理手段が変換したコンポジット信号を元に映像を表示する映像表示手段と、を備えたことを特徴とするを特徴とする。
【０００７】
上記構成により、受信手段により受信されたディジタルテレビ放送信号は、ディジタル処理手段により、コンポジット信号に変換される。変換された信号は、映像表示手段により、映像が表示される。このように、本発明に係るヘッドマウントディスプレイは、ディジタルのテレビ放送信号を受信できる。
【０００８】
（２）前記受信手段は、受信しているアナログのテレビ放送信号を受信し、選択されているチャンネルで放送されているアナログのテレビ放送信号を抽出する機能を有し、前記受信手段が抽出したアナログのテレビ放送信号をディジタル信号に変換する変換手段と、前記ディジタル処理手段は、前記受信手段が抽出したディジタル信号または前記変換手段により変換されたディジタル信号を、コンポジット信号に変換する機能を有することを特徴とする。
【０００９】
上記構成により、受信されたアナログのテレビ放送信号は、変換手段により、ディジタル信号に変換され、ディジタル処理手段に入力される。変換された信号が入力されれば、その信号を元に、ディジタル処理手段は、コンポジット信号に変換する。
【００１０】
（３）前記ディジタル処理手段は、前記受信手段が抽出しているテレビ放送信号がディジタルのテレビ放送信号であるかアナログのテレビ放送信号であるかを検出する機能を有し、前記受信手段が抽出している信号がディジタルのテレビ放送信号であれば、前記ディジタル処理手段は、前記変換手段に対し動作停止の指示を出し、反対にアナログのテレビ放送信号であれば、動作実行の指示を出し、前記変換手段は、前記ディジタル処理手段の指示に従って動作の停止、実行の切換えを行うことを特徴とすることを特徴とする。
【００１１】
上記構成により、受信手段が抽出している信号が、ディジタルテレビ放送信号であれば、変換手段に動作を停止する指示を出し、その動作を止めることにより、変換手段の無駄な動作を防ぐ。
【発明の効果】
【００１２】
本発明に係るヘッドマウントディスプレイによれば、ディジタル処理手段を有することにより、ディジタルテレビ放送を受信することができる。
【発明を実施するための最良の形態】
【００１３】
以下に、この発明の実施形態について図を用いて説明する。
【００１４】
図１は、本発明の実施形態に係るヘッドマウントディスプレイを示す斜視図である。図２は、本発明のヘッドマウントディスプレイを頭部に装着した状態を示す図である。図３は、本発明に係るヘッドマウントディスプレイのコントロール部におけるチューナのブロック図である。
【００１５】
図１において、ヘッドマウントディスプレイ１は、スキーのゴーグル形状のように形成されている。この装置は、ＬＣＤ２ａ，２ｂと、ヒンジ部３と、左ヘッドバンド４と、右ヘッドバンド５と、左ヘッドフォン６と、右ヘッドフォン７と、コントロール部８と、から構成されている。ＬＣＤ２ａ，２ｂは、当該ヘッドマウントディスプレイ１を使用者が、装着したときに一定の距離をおいて目の前に位置するように配置されている。左ヘッドバンド４と、右ヘッドバンド５は、ヒンジ部３を介して取り付けられており、長尺形状である。ファスナ９、１０は両ヘッドバンドの先端に固着されている。左ヘッドフォン６は、左ヘッドバンド４の内側に、右ヘッドフォン７は、右ヘッドバンド５の内側に、前後方向にスライド自在に取り付けられている。コントロール部８は、箱型であり、左ヘッドフォン４または右ヘッドフォン５に着脱自在に構成されている。アンテナ１１は、コントロール部８の上面前側に取り付けられ、伸縮、回転自在で且つ収縮時には、コントロール部８内に収納される。
【００１６】
コントロール部８の右側には、パワー／音量調整スイッチ８１と、液晶明るさ調節スイッチ８２と、チャンネル選択スイッチ８３とが突設されており、ミュートスイッチ８４がプッシュ式のスイッチとして配置されている。パワー／音量調整スイッチ８１は、図示しないアンプに接続されており、このスイッチをひねる量に応じて、左ヘッドフォン６、右ヘッドフォン７から出力される音量の調整が行える。液晶明るさ調節スイッチ８２は、図示しないＬＣＤブライト可変抵抗器に接続されており、このスイッチをひねる量に応じて、ＬＣＤ２ａ，ｂの明るさの調節が行える。チャンネル選択スイッチ８３は、チャンネルの選局が行える。ミュートスイッチ８２は、左ヘッドフォン６、右ヘッドフォン７からの音声出力の停止、停止解除を切り換える。コントロール部８は、使用者がヘッドマウントディスプレイ１を装着している時に、違和感を感じるようであれば、左ヘッドバンド４または右ヘッドバンド５から取り外して、上着のポケット等に入れて使用することもできる。
【００１７】
本実施形態のヘッドマウントディスプレイ１は、図２に示すように、左右のヘッドバンド４、５で使用者の頭部に装着できる。
【００１８】
コントロール部８は、図３のブロック図に示すように、高周波回路３１と、ミキサ回路３２と、発振器３３と、中間周波回路３４と、ＡＤ変換回路３５と、ディジタル処理回路３６とを備えている。
【００１９】
コントロール部８のパワー／音量スイッチ８１をオンすると、アンテナ１１が受信している信号は、高周波回路３１に入力される。入力された信号は、高周波回路３１によって増幅された後に、ミキサ回路３２に入力される。ミキサ回路３２に信号が入力されると、発振器３３からローカル発振周波数の信号が供給される。ミキサ回路３２を経た信号は、中間周波回路３４に入力され、音声信号と、映像信号が取り出される。ディジタル処理回路３６は、取り出された映像信号が、ディジタルの放送信号であれば、コンポジット信号に変換する。このとき、ＡＤ変換回路３５には、ディジタル処理回路３６から動作を停止する指示が送られる。一方、取り出された映像信号が、アナログの放送信号であれば、ＡＤ変換回路３５により、ディジタル信号に変換される。このとき、ＡＤ変換回路３５は、ディジタル処理回路３６より、動作を実行する指示が出される。変換された信号は、ディジタル処理回路３９により、コンポジット信号に変換される。
【００２０】
なお、中間周波回路３４により、取り出された映像信号が、ディジタルテレビ放送信号かアナログテレビ放送信号かの判断は、ディジタル処理回路３９が行う。その判断は、例えば、テレビ放送の番組のヘッダの有無を判断し、ヘッダがあれば、ディジタルテレビ放送信号であると判断し、ヘッダが無ければ、アナログテレビ放送信号であると判断する。
【００２１】
上記のようにして変換されたコンポジット信号がＬＣＤ２ａ，２ｂに出力されて、映像の表示が行われる。
【００２２】
次に、ディジタル処理回路３６が、ディジタルテレビ放送かアナログ放送かの判断を行う際の動作を図４を用いて説明する。
【００２３】
図４は、ディジタル処理回路の動作を示すフローチャートである。この処理は電源オン時およびチャンネル切換え時に行われる。図示しない制御部は、切換え前のチャンネルと比較して物理チャンネルの切換えであるかどうかを判断する（Ｓ１）。この判断により、物理チャンネルの切換えでない場合のディジタルのテレビ放送信号とアナログのテレビ放送信号の判断動作が省略できる。チャンネルの切換えが、物理チャンネルの切換えである場合、指定されたチャンネルの信号が、ディジタルテレビ放送信号であるか、アナログのテレビ放送信号であるかをディジタル処理回路３６が判断する（Ｓ２）。指定されたチャンネルの信号が、アナログのテレビ放送信号である場合、ディジタル処理回路３６が、ＡＤ変換回路に動作実行の指示を出す（Ｓ３）。Ｓ２の判断が、ディジタルのテレビ放送信号であると判断された場合、ディジタル処理回路３６が、ＡＤ変換回路３５に動作停止の指示を出す（Ｓ４）。この動作停止の指示により、ＡＤ変換回路３５の無駄な動作を防ぐ。
【００２４】
なお、Ｓ１の判断が物理チャンネルの切換えでないと判断した場合には、受信した信号をディジタル処理回路３６がコンポジット信号に変換する（Ｓ４）。
【００２５】
以上の動作により、本発明に係るヘッドマウントディスプレイは、ディジタルテレビ放送とアナログテレビ放送の両方を受信できる。
【図面の簡単な説明】
【００２６】
【図１】本発明の実施形態に係るヘッドマウントディスプレイの斜視図である。
【図２】本発明のヘッドマウントディスプレイを頭部に装着したときの図である。
【図３】本発明に係るヘッドマウントディスプレイのコントロール部におけるチューナのブロック図である。
【図４】ディジタル処理回路の動作を示すフローチャートである。
【符号の説明】
【００２７】
１−ヘッドマウントディスプレイ
２−ＬＣＤ
３−ヒンジ部
４−左ヘッドバンド
５−右ヘッドバンド
６−左ヘッドフォン
７−右ヘッドフォン
８−チューナ
９−ファスナ
１０−ファスナ
１１−アンテナ
３１−入力同調回路
３２−高周波増幅器
３３−発振器
３４−ミキサ回路
３５−ＡＤ変換回路
３６−ディジタル処理回路
８１−パワー／音量調整スイッチ
８２−液晶明るさ調整スイッチ
８３−チャンネル選択スイッチ
８４−ミュートスイッチ
【図１】
2006050166.tif 000003
【図２】
2006050166.tif 000004
【図３】
2006050166.tif 000005
【図４】
2006050166.tif 000006